(57)【要約】【課題】本発明は、侵入者の不正工作による異常を自ら検出して、適切な対抗措置を取ることが可能な監視カメラ装置を提供することを目的とする。【解決手段】本発明に係る監視カメラ装置１０は、電源ケーブルＬ１或いは信号ケーブルＬ２が切断或いは脱落されたことを検出する異常検出部１０７と、電源ケーブルＬ１或いは信号ケーブルＬ２の切断或いは脱落が検出されたときに所定の不正工作対抗措置（警報音の出力など）を発動する不正工作対抗手段と、を有して成る構成とされている。【選択図】図２
2008158916.tif 000002
【特許請求の範囲】
【請求項１】
監視対象エリアの様子を撮像部で撮影し、得られた撮像信号を装置外部に送出する監視カメラ装置であって、装置外部から電力の供給を受けるための電源ケーブルが切断或いは脱落されたことを検出する異常検出部と、前記電源ケーブルが切断或いは脱落された後も装置各部に電力の供給を継続するための内部電源部及び電源切替部と、前記電源ケーブルの切断或いは脱落が検出されたときに所定の不正工作対抗措置を発動する不正工作対抗手段と、を有して成ることを特徴とする監視カメラ装置。
【請求項２】
監視対象エリアの様子を撮像部で撮影し、得られた撮像信号を装置外部に送出する監視カメラ装置であって、装置外部に前記撮像信号を送出するための信号ケーブルが切断或いは脱落されたことを検出する異常検出部と、前記信号ケーブルの切断或いは脱落が検出されたときに所定の不正工作対抗措置を発動する不正工作対抗手段と、を有して成ることを特徴とする監視カメラ装置。
【請求項３】
前記不正工作対抗手段は、スピーカやブザー、或いは、フラッシュから成る警報出力部を有して成り、前記不正工作対抗措置として、前記監視対象エリアに警報音或いはフラッシュ光を出力することを特徴とする請求項１または請求項２に記載の監視カメラ装置。
【請求項４】
前記不正工作対抗手段は、前記撮像信号を記録する録画部を有して成り、前記不正工作対抗措置として、前記監視対象エリアの様子を録画することを特徴とする請求項１〜請求項３のいずれかに記載の監視カメラ装置。
【請求項５】
前記不正工作対抗手段は、前記電源ケーブルが切断或いは脱落された旨を示す警報情報を生成する警報生成部を有して成り、前記不正工作対抗措置として、前記撮像信号の送出経路に前記警報情報を重畳することを特徴とする請求項１に記載の監視カメラ装置。
【請求項６】
前記異常検出部は、前記電源ケーブル或いは前記信号ケーブルのグランドオープンを検出することを特徴とする請求項１〜請求項５のいずれかに記載の監視カメラ装置。
【請求項７】
監視対象エリアの様子を撮影する請求項１〜請求項６のいずれかに記載の監視カメラ装置と、前記監視カメラ装置で得られた撮像信号の表示並びに記録を管理する管理装置と、前記撮像信号をモニタ映像として表示するモニタ装置と、前記撮像信号を記録する録画装置と、を有して成ることを特徴とする監視カメラシステム。
【発明の詳細な説明】
【技術分野】
【０００１】
本発明は、監視カメラ装置及びこれを用いた監視カメラシステムに関するものである。
【背景技術】
【０００２】
近年、店舗やオフィスビル、マンション、工場などでは、窃盗等の犯罪行為を監視する手段として、監視カメラシステムが広く一般的に導入されている。
【０００３】
上記の監視カメラシステムは、一般に、監視対象エリア毎に１台ないし複数台の監視カメラ装置を設置して、当該エリアの様子を撮影し、得られた撮像信号を監視室（警備員室や管理人室など）で集中的に管理（表示並びに録画）する構成とされている。
【０００４】
なお、上記に関連する従来技術の一例として、特許文献１には、監視領域の画像を録画する監視カメラシステムであって、画像を撮像する撮像手段と、前記撮像手段と信号線で接続された画像処理手段と、を有し、前記画像処理手段は、前記信号線からの信号の有無を検出し、該信号が受信されない場合に警報信号を送出することを特徴とした監視カメラシステムが開示・提案されている。
【特許文献１】特開２０００−２２２６４７号公報
【発明の開示】
【発明が解決しようとする課題】
【０００５】
確かに、上記従来の監視カメラシステムの導入により、監視者は、監視室に居ながらにして、監視対象エリアの様子を確認することができるので、監視対象エリアを直接巡回する時間や労力を削減することが可能となる。
【０００６】
しかしながら、近年では、監視対象エリアへの侵入者が、監視カメラ装置の電源ケーブルや信号ケーブルを切断するなどして、当該エリアの遠隔監視を不能な状態としてから、窃盗などの犯行に及ぶケースが増えている。
【０００７】
このとき、監視室では、当該監視対象エリアのモニタ映像が途切れることになるが、監視者が常にこれを注視しているとは限らず、監視カメラ装置の異常に気付くのが遅れてしまうことがしばしばあった。
【０００８】
また、仮に、監視者が遅滞なく監視カメラ装置の異常に気付いたとしても、この映像遮断の原因が侵入者の破壊工作（妨害工作）によるのか、監視対象エリアの消灯等によるのか、それとも監視カメラ装置の故障なのか、を即座に認識することはできないため、事態を軽視して、監視対象エリアへの急行が遅れるおそれもあった。
【０００９】
また、監視者が監視カメラ装置の異常に気付いてから、警備員が監視対象エリアに到着するまでには、少なからずタイムラグを生じるが、その間、監視対象エリアでは、侵入者を何ら牽制することができず、その犯行を自由に許してしまうため、警備員が監視対象エリアに到着した際には、既に侵入者が犯行を終えて逃走してしまっていることもあった。
【００１０】
また、上記従来の監視カメラシステムでは、監視対象エリアのモニタ映像が監視室側で集中的に管理（表示及び録画）されていたため、侵入者によって監視対象エリアの遠隔監視が不能な状態にされると、その犯行の様子を録画することも当然に不可能となり、犯人の追跡及び逮捕に繋がる重要な証拠を得ることができなかった。
【００１１】
なお、特許文献１の従来技術は、あくまで、管理装置（コントローラ或いはタイムラプスビデオ）側で監視カメラ装置の異常を検出し、これに基づいて警備センターに警報信号を発するものであって、監視カメラ装置自体については、何ら新規の構成を開示するものではなかった。
【００１２】
本発明は、上記の問題点に鑑み、侵入者の不正工作による異常を自ら検出して、適切な対抗措置を取ることが可能な監視カメラ装置、及び、これを用いた監視カメラシステムを提供することを目的とする。
【課題を解決するための手段】
【００１３】
上記の目的を達成するために、本発明に係る監視カメラ装置は、監視対象エリアの様子を撮像部で撮影し、得られた撮像信号を装置外部に送出する監視カメラ装置であって、装置外部から電力の供給を受けるための電源ケーブルが切断或いは脱落されたことを検出する異常検出部と、前記電源ケーブルが切断或いは脱落された後も装置各部に電力の供給を継続するための内部電源部及び電源切替部と、前記電源ケーブルの切断或いは脱落が検出されたときに所定の不正工作対抗措置を発動する不正工作対抗手段と、を有して成る構成（第１の構成）とされている。
【００１４】
また、本発明に係る監視カメラ装置は、監視対象エリアの様子を撮像部で撮影し、得られた撮像信号を装置外部に送出する監視カメラ装置であって、装置外部に前記撮像信号を送出するための信号ケーブルが切断或いは脱落されたことを検出する異常検出部と、前記信号ケーブルの切断或いは脱落が検出されたときに所定の不正工作対抗措置を発動する不正工作対抗手段と、を有して成る構成（第２の構成）とされている。
【００１５】
なお、上記第１または第２の構成から成る監視カメラ装置において、前記不正工作対抗手段は、スピーカやブザー、或いは、フラッシュから成る警報出力部を有して成り、前記不正工作対抗措置として、前記監視対象エリアに警報音或いはフラッシュ光を出力する構成（第３の構成）にするとよい。
【００１６】
また、上記第１〜第３いずれかの構成から成る監視カメラ装置において、前記不正工作対抗手段は、前記撮像信号を記録する録画部を有して成り、前記不正工作対抗措置として前記監視対象エリアの様子を録画する構成（第４の構成）にするとよい。
【００１７】
また、上記第１の構成から成る監視カメラ装置において、前記不正工作対抗手段は、前記電源ケーブルが切断或いは脱落された旨を示す警報情報を生成する警報生成部を有して成り、前記不正工作対抗措置として、前記撮像信号の送出経路に前記警報情報を重畳する構成（第５の構成）にするとよい。
【００１８】
また、上記第１〜第５いずれかの構成から成る監視カメラ装置において、前記異常検出部は、前記電源ケーブル或いは前記信号ケーブルのグランドオープンを検出する構成（第６の構成）にするとよい。
【００１９】
また、本発明に係る監視カメラシステムは、監視対象エリアの様子を撮影する上記第１〜第６いずれかの構成から成る監視カメラ装置と、前記監視カメラ装置で得られた撮像信号の表示並びに記録を管理する管理装置と、前記撮像信号をモニタ映像として表示するモニタ装置と、前記撮像信号を記録する録画装置と、を有して成る構成（第８の構成）とされている。
【発明の効果】
【００２０】
本発明に係る監視カメラ装置であれば、侵入者の不正工作による異常を自ら検出して、適切な対抗措置を取ることが可能できるので、これを用いた監視カメラシステム全体としてのセキュリティ性能を高めることが可能となる。
【発明を実施するための最良の形態】
【００２１】
まず、本発明に係る監視カメラシステムの全体構成について説明する。
【００２２】
図１は、本発明に係る監視カメラシステムの一例を示すブロック図である。
【００２３】
本図に示すように、本発明に係る監視カメラシステムは、監視対象エリアの様子を撮影する監視カメラ装置１０と、監視カメラ装置１０で得られた撮像信号の表示並びに記録を管理する集中管理装置２０と、撮像信号をモニタ映像として表示するモニタ装置３０と、撮像信号を記録する録画装置４０と、を有して成る。
【００２４】
上記の監視カメラシステムは、監視対象エリア毎に１台ないし複数台の監視カメラ装置１０を設置して、当該エリアの様子を撮影し、得られた撮像信号を監視室（警備員室や管理人室など）で集中的に管理（表示並びに録画）する構成とされている。
【００２５】
このような監視カメラシステムの導入により、監視者は、監視室に居ながらにして、監視対象エリアの様子を確認することができるので、監視対象エリアを直接巡回する時間や労力を削減することが可能となる。
【００２６】
次に、監視カメラ装置１０の内部構成について詳細な説明を行う。
【００２７】
図２は、監視カメラ装置１０の一実施形態を示すブロック図である。
【００２８】
本図に示す通り、本実施形態の監視カメラ装置１０は、撮像部１０１と、画像処理部１０２と、情報送出部１０３と、外部電源部１０４と、内部電源部１０５と、電源切替部１０６と、異常検出部１０７と、制御部１０８と、警報出力部１０９と、警報生成部１１０と、録画部１１１と、を有して成る。
【００２９】
撮像部１０１は、レンズ群や光電変換素子（ＣＣＤ［Charge Coupled Devices］或いはＣＭＯＳ［Complementary Metal Oxide Semiconductor］などのイメージセンサ）を備えて成り、被写体の光学像を電気的な撮像信号として出力する手段である。
【００３０】
画像処理部１０２は、撮像部１０１で得られた撮像信号に対して、自動ゲイン制御、相関二重サンプリング、アナログ／ディジタル変換などの各種信号処理を施す手段である。
【００３１】
情報送出部１０３は、画像処理部１０２で所定の信号処理が施された撮像信号を装置外部（本実施形態の監視カメラシステムでは、集中管理装置２０）に送出する手段である。なお、撮像信号は、信号ケーブルＬ２を介して装置外部に送出される。
【００３２】
外部電源部１０４は、電源電圧ＶＤＤから装置各部の駆動電圧を生成する手段である。なお、電源電圧ＶＤＤは、電源ケーブルＬ１を介して装置外部から供給される。
【００３３】
内部電源部１０５は、電源ケーブルＬ１が切断或いは脱落された後も、装置各部に電力の供給を継続するための予備的な電源手段である。なお、内部電源部１０５としては、アルカリ乾電池などの一次電池を用いてもよいし、リチウムイオン電池などの二次電池を用いてもよい。なお、内部電源部１０５として二次電池を用いる場合には、外部電源部１０４からの電力供給を受けて定常的に充電を行う構成としておけばよい。
【００３４】
電源切替部１０６は、制御部１０８からの指示に基づき、装置各部への電力供給源として、外部電源部１０４及び内部電源部１０５のいずれか一を選択する手段である。
【００３５】
異常検出部１０７は、内部電源部１０５から電力供給を受けて動作し、電源ケーブルＬ１及び信号ケーブルＬ２の切断或いは脱落を検出して、第１異常検出信号（電源遮断検出信号）Ｓ１、及び、第２異常検出信号（信号遮断検出信号）Ｓ２を送出する手段である。なお、異常検出部１０７の回路構成については、後ほど具体例を挙げて説明する。
【００３６】
制御部１０８は、異常検出部１０７から出力される異常検出信号Ｓ１、Ｓ２に基づき、電源ケーブルＬ１或いは信号ケーブルＬ２の切断或いは脱落されたと判断したときに、所定の不正工作対抗措置を発動すべく、装置各部（電源切替部１０６、警報出力部１０９、警報生成部１１０、及び、録画部１１１など）に指示を送る手段である。
【００３７】
警報出力部１０９は、スピーカやブザーから成り、制御部１０８からの指示に基づき、上記の不正工作対抗措置として、監視対象エリアに警報音を出力する手段である。
【００３８】
警報生成部１１０は、制御部１０８からの指示に基づき、上記の不正工作対抗措置として、電源ケーブルＬ１が切断或いは脱落された旨を示す警報情報（例えば、「○○エリアに設置された監視カメラ装置の電源ケーブルが侵入者によって切断或いは脱落されたおそれがあります。」といった警報画像）を生成し、これを撮像信号の送出経路（情報送出部１０３）に重畳して、集中管理装置２０に送出する手段である。
【００３９】
録画部１１１は、撮像信号を記録するための記録媒体（半導体メモリや小型のハードディスクドライブ装置など）を有して成り、制御部１０８からの指示に基づき、上記の不正工作対抗措置として、監視対象エリアの様子を録画する手段である。
【００４０】
次に、上記構成から成る監視カメラ装置１０の動作（特に、異常検出時の不正工作対抗措置）について、詳細な説明を行う。
【００４１】
監視対象エリアへの侵入者によって電源ケーブルＬ１が切断或いは脱落された場合、異常検出部１０７は、第１異常検出信号Ｓ１を通常時の論理レベル（例えばハイレベル）から異常検出時の論理レベル（例えばローレベル）に変遷する。一方、監視対象エリアへの侵入者によって信号ケーブルＬ２が切断或いは脱落された場合、異常検出部１０７は、第２異常検出信号Ｓ２を通常時の論理レベル（例えばハイレベル）から異常検出時の論理レベル（例えばローレベル）に変遷する。このような異常検出信号Ｓ１、Ｓ２の論理変遷に基づいて、制御部１０８では、電源ケーブルＬ１或いは信号ケーブルＬ２の切断或いは脱落を認識することができる。
【００４２】
なお、制御部１０８は、電源ケーブルＬ１の切断或いは脱落が検出されたとき、装置各部への電力供給源として内部電源部１０５を選択するように、電源切替部１０６に指示を送る。このような電力供給源の切替動作により、電源ケーブルＬ１が切断或いは脱落された後も、装置各部に電力の供給が継続され、監視カメラ装置１０は、その諸機能を維持することが可能となる。
【００４３】
また、制御部１０８は、電源ケーブルＬ１或いは信号ケーブルＬ２の切断或いは脱落が検出されたとき、不正工作対抗措置として、監視対象エリアに警報音を出力するように、警報出力部１０９に指示を送る。このような警報出力動作により、侵入者に少なからず動揺を与えて、その犯行を躊躇させることができるので、警備員が監視対象エリアに到着するまでの時間を稼いで、侵入者の犯行を未然に防止することが可能となる。また、上記の警報出力動作により、監視対象エリア付近の警備員に異常を知らせることも可能となる。
【００４４】
また、制御部１０８は、電源ケーブルＬ１或いは信号ケーブルＬ２の切断或いは脱落が検出されたとき、不正工作対抗措置として、監視対象エリアの様子を録画するように、録画部１１１に指示を送る。このような録画動作により、侵入者による犯行を事後的に立証する上で極めて重要な証拠を得ることが可能となる。
【００４５】
なお、不正工作対抗措置として、上記の録画動作を行う場合には、先に述べた警報出力動作を敢えて行わない構成としてもよい。このような構成とすることにより、監視カメラ装置１０が動作していることを侵入者に気付かれることなく、その犯行の様子を録画することが可能となる。
【００４６】
また、制御部１０８は、電源ケーブルＬ１の切断或いは脱落が検出されたとき、不正工作対抗措置として、撮像信号の送出経路に先述の警報情報を重畳するように、警報生成部１１０に指示を送る。このような警報情報の送出動作により、監視室側では、映像遮断の原因が侵入者の破壊工作（妨害工作）によることを即座に認識することができるので、警備員を迅速に監視対象エリアへ向かわせることが可能となり、延いては、侵入者の犯行を未然に防止することが可能となる。
【００４７】
次に、異常検出部１０７の内部構成について詳細な説明を行う。
【００４８】
図３は、異常検出部１０７の一構成例を示す回路図である。
【００４９】
本図に示すように、本構成例の異常検出部１０７は、コンパレータＣＭＰ１〜ＣＭＰ２と、抵抗Ｒ１〜Ｒ２と、直流電圧源Ｅ１〜Ｅ２と、を有して成る。
【００５０】
コンパレータＣＭＰ１の反転入力端（−）は、電源ケーブルＬ１のグランドラインに接続される一方、抵抗Ｒ１を介して駆動電圧（内部電源電圧）の印加端に接続されている。コンパレータＣＭＰ１の非反転入力端（＋）は、直流電圧源Ｅ１の正極端に接続されている。直流電圧源Ｅ１の負極端は、接地端に接続されている。コンパレータＣＭＰ１の出力端は、第１異常検出信号Ｓ１の出力端として、制御部１０８に接続されている。
【００５１】
コンパレータＣＭＰ２の反転入力端（−）は、信号ケーブルＬ２のグランドラインに接続される一方、抵抗Ｒ２を介して駆動電圧（内部電源電圧）の印加端に接続されている。コンパレータＣＭＰ２の非反転入力端（＋）は、直流電圧源Ｅ２の正極端に接続されている。直流電圧源Ｅ２の負極端は、接地端に接続されている。コンパレータＣＭＰ２の出力端は、第２異常検出信号Ｓ２の出力端として、制御部１０８に接続されている。
【００５２】
上記構成から成る異常検出部１０７において、電源ケーブルＬ１が切断或いは脱落されると、そのグランドラインがオープンとなり、コンパレータＣＭＰ１の反転入力端（−）の電圧レベルがプルアップされる。従って、コンパレータＣＭＰ１の比較信号（第１異常検出信号Ｓ１）は、定常時のハイレベルから異常検出時のローレベルに変遷される。
【００５３】
同様に、信号ケーブルＬ２が切断或いは脱落されると、そのグランドラインがオープンとなり、コンパレータＣＭＰ２の反転入力端（−）の電圧レベルがプルアップされる。従って、コンパレータＣＭＰ２の比較信号（第１異常検出信号Ｓ１）は、定常時のハイレベルから異常検出時のローレベルに変遷される。
【００５４】
このように、電源ケーブルＬ１或いは信号ケーブルＬ２のグランドオープンを監視することで、その切断或いは脱落を検出する構成とすることにより、極めて簡易な構成で、異常検出部１０７を実現することが可能となる。
【００５５】
なお、本発明の構成は、上記実施形態のほか、発明の主旨を逸脱しない範囲で種々の変更を加えることが可能である。
【００５６】
例えば、上記実施形態では、警報出力部１０９として、警報音を発するスピーカやブザーを用いた構成を例に挙げて説明を行ったが、本発明の構成はこれに限定されるものではなく、強力なフラッシュ光を出力するフラッシュを用いても構わない。このような構成とすることにより、侵入者は、自身の姿が監視カメラ装置１０に撮影されたと錯覚して、何ら犯行に及ぶことなく逃亡することも考えられるため、侵入者の犯行を未然に防止することが可能となる。
【００５７】
また、上記実施形態では、電源ケーブルＬ１の切断或いは脱落を確実に検出すべく、異常検出部１０７を内部電源で駆動する構成を例に挙げて説明を行ったが、本発明の構成はこれに限定されるものではなく、例えば、外部電源によって充電されるキャパシタを備えておき、電源ケーブルＬ１が切断或いは脱落されてから、その異常検出が完了するまでの間、異常検出部１０７を上記キャパシタの充電電圧で動作する構成としてもよい。
【産業上の利用可能性】
【００５８】
本発明は、店舗やオフィスビル、マンション、工場などで広く導入されている監視カメラシステムのセキュリティ性能を高める上で有用な技術である。
【図面の簡単な説明】
【００５９】
【図１】は、本発明に係る監視カメラシステムの一例を示すブロック図である。
【図２】は、監視カメラ装置１０の一実施形態を示すブロック図である。
【図３】は、異常検出部１０７の一構成例を示す回路図である。
【符号の説明】
【００６０】
１０    監視カメラ装置
２０    集中管理装置
３０    モニタ装置
４０    録画装置
１０１    撮像部
１０２    画像処理部
１０３    情報送出部
１０４    外部電源部
１０５    内部電源部
１０６    電源切替部
１０７    異常検出部
１０８    制御部
１０９    警報出力部
１１０    警報生成部
１１１    録画部
Ｌ１    電源ケーブル
Ｌ２    信号ケーブル
ＣＭＰ１、ＣＭＰ２    コンパレータ
Ｒ１、Ｒ２    抵抗
Ｅ１、Ｅ２    直流電圧源
Ｓ１    第１異常検出信号（電源遮断検出信号）
Ｓ２    第２異常検出信号（信号遮断検出信号）
【図１】
2008158916.tif 000003
【図２】
2008158916.tif 000004
【図３】
2008158916.tif 000005